(57)【要約】【課題】  本考案はケーブルコネクタが相手側コンタクトと係合する時、接触の信頼性を上げ、取り付けも易くになれようにすることを目的とする。【解決手段】  本考案はケーブルコネクタに関し、一方はケーブルに接し、他方は相手側コネクタに接し、該コネクタはハウジングとハウジングに収容されるコンタクトモールドと、ケーブルの固定に使われるインサートモールドとを含んでいる。その中、ハウジングは相手側コネクタを収容するための収容部を有し、前記コンタクタモールドには相手側コネクタと接続するコンタクトが設けられ、該コンタクトは接触部と導入部を含んでいる。前記インサートモールドは“Ｕ”型接続片を持って、接続片の一端はケーブルを保持するクリップ部とし、他方端にはコンタクトの導入部に接して電性接続を実現する接触部が設置されている。【選択図】  図７
0003106394.tif 000002
【実用新案登録請求の範囲】
【請求項１】
一方はケーブルに接し、他方は相手側コネクタに接するケーブルコネクタにおいて、
相手側コネクタの収容用受け部が設けられるハウジングと、
前記ハウジングに収容されるコンタクトモールドと、
ケーブルの固定用インサートモールドと
を備え、
前記コンタクトモールドは相手側コンタクトと電気的に接続する複数のコンタクトを有し、該コンタクトは相手側コネクタと配合する接続部及びケーブルに接する導入部を含んでおり、また、前記インサートモールドは一つの“Ｕ”型接続片を持っており、該接続片の一方にケーブルと固定するためのクリップ部を設置し、他方にはコンタクトの導入部に接して電気的な接続を達成する抵触部が設けられていることを特徴とするケーブルコネクタ。
【請求項２】
前記ケーブルはハウジング外層と該ハウジング外層に設けられたワイヤーを持っており、接続片のクリップ部はケーブルワイヤーを固定する第１クリップ部とケーブルのハウジング外層を固定する第２クリップ部を備えることを特徴とする請求項１に記載のケーブルコネクタ。
【請求項３】
前記接続片の第１及び第２クリップ部の両側にクリップアームが凸設されていることを特徴とする請求項２に記載のケーブルコネクタ。
【請求項４】
前記クリップ部が枠形片状構造であることを特徴とする請求項１に記載のケーブルコネクタ。
【請求項５】
前記インサートモールドは接続片を固定する絶縁ブロックを有し、該絶縁ブロックは前の表面に設けられた接続片の抵触部を収容する開口と、接続片のクリップ部を収容する受け溝を有していることを特徴とする請求項１に記載のケーブルコネクタ。
【請求項６】
前記接続片の“Ｕ”型構造は倒置され、絶縁ブロックの開口と受け溝の連通した箇所に設けられていることを特徴とする請求項５に記載のケーブルコネクタ。
【考案の詳細な説明】
【技術分野】
【０００１】
本考案はケーブルコネクタに関し、特にネットワーク及び通信分野に用いられるケーブルコネクタに関する。
【背景技術】
【０００２】
本考案の発明と関連する技術は特許文献１に記載されている。前記ケーブルコネクタはハウジングと、該ハウジング内に収容されるコンタクトと、ハウジングの後方でケーブルを保持するインサートモールドと、を有し、該コンタクトは一方の接続部と他方の導入部を含んでいる。また、インサートモールド上端の前後には複数の第１受け孔と第２受け孔が貫通して設けられている。前記ケーブルは前後の方向で第１受け孔を通じ、湾曲してから後前の方向で第２受け孔を通じる。ケーブルのワイヤー部分はインサートモールドの前方の表面部に設けられる。装着する時、ケーブルがインサートモールドに挿入してインサートモールドをハウジングに固定する。その時、前記コンタクトの導入部がちょうどケーブルのワイヤーと接触して、ケーブルとケーブルコネクタ間の電気伝送を実現する。
【０００３】
ところが、前記ケーブルコネクタのケーブルとインサートモールド間の装着が面倒で、生産能率の上げにも不利で、ケーブルのワイヤがコンタクトの導入部と配合する時に回路が切れやすい。それで、適切なコンタクトとの配合ができないし、ケーブルのワイヤー間のショートする可能性もある。前記のことで装着が不便になり、製造の過程も簡素化しにくい。
【特許文献１】米国特許第６，３７５，５１４号明細書
【考案の開示】
【考案が解決しようとする課題】
【０００４】
本考案の目的は、接触の信頼性の高い、取り付けも簡便に行われるケ−ブルコネクタを提供することである。
【課題を解決するための手段】
【０００５】
本考案はケーブルコネクタに関し、一方はケーブルに接し、他方は相手側コネクタに接し、該コネクタはハウジングと、ハウジングに収容されるコンタクトモールドと、ケーブルの固定に使われているインサートモールドを含んでいる。ハウジングは相手側コネクタを収容する収容部を有し、前記コンタクトモールドには相手側コネクタと接続するコンタクトが設けられ、該コンタクトは接触部と導入部を含んである。前記インサートモールドは“Ｕ”型接続片を持って、接続片の一端はケーブルを保持するクリップ部で、他方端にはコンタクトの導入部に接して電性接続を実現する接触部が設置されている。
【考案の効果】
【０００６】
従来の技術に比べると、本発明のコネクタには一つの“Ｕ”型接続片が設置され、且つ、該接続片の一端にケーブルのロック用クリップ部を設け、他方の一端にコンタクトの導入部と接する抵触部を設置することによって、ケーブルコネクタがケーブルと確実に接続でき、ケーブルとコンタクトの手取りのかかる装着工程が簡素化し、ケーブルのワイヤーのショートすることも防止される。
【考案を実施するための最良の形態】
【０００７】
図１〜図６において、本発明のケーブルコネクタ１００はケーブル４と電気的に接続しながら、相手側コネクタ（図示せず）に接する。コネクタ１００はハウジング１と、ハウジング１に収容されるコンタクトモールド２と、ケーブル４を収容してハウジング１の後方に設けられるインサートモールド３とを備えている。コンタクト２１はコンタクトモールド２に設置され、インサートモールド３に装着されたケーブル４のワイヤー（記号なし）部分と電気的に接続する。且つ、前記ケーブル４は一般的にハウジングシエル（符号なし）と、ハウジングシエルに設けられたワイヤー（符号なし）とを含んでいる。
【０００８】
前記ハウジング１は、頂壁１１と、底壁１２と、底壁１２両側の側壁１３と、後壁１４と、各壁より限定された相手側コネクタを収容する受け部１５から構成する。該底壁１２において、後ろに向かってコンタクトモールドを収容する第１開口１２１が縦長方向に設けられている。後壁１４にインサートモールド３を収容する第２開口１４１が縦長方向に設けられているとともに、その両側はロック溝１４２がそれぞれ設けられている。
【０００９】
前記コンタクトモールド２は、複数のコンタクト２１とコンタクト２１を固定するほぼ水平に設置したハウジング基部２２を備えている。その中、コンタクト２１はハウジング基部２２内に固定する固定部２１１と、固定部２１１の一端から上向き且つ後ろ向きに延びてハウジング基部２２の上方に設けられた接続部２１２と、固定部２１１の他方から上へ斜めに湾曲して形成された導入部２１３を有している。この実施例において、コンタクト２１とハウジング２２は一体的に形成されている。
【００１０】
前記インサートモールド３は、ほぼ倒置された“Ｕ”型の複数の接続片３１と、接続片３１を固定する絶縁ブロック３２とからなる。前記接続片３１は場合によって倒置しない“Ｕ”型構造としても構わない。
【００１１】
接続片３１は、倒置された“Ｕ”型構造の一方に設けられた縦長片状の抵触部３１１と、他方に設けられた竪直に配置する第１クリップ部３１２と、第２クリップ部３１３とを含んでいる。前記第１クリップ部３１２と第二クリップ部３１３の両側には、また、第１クリップアーム３１２１と第２クリップアーム３１３１が延伸して設けられている。
【００１２】
絶縁ブロック３２は前の表面に落ち込んだ導入部３１の抵触部３１１を収容する複数の開口３２１と、絶縁ブロック３２の上下表面を貫通する受け溝３２２と、絶縁ブロック３２の両側に突出して設置される二つのロックアーム３２３とを有する。且つ、該受け溝３２２は接続片３１の第１クリップ部３１２と、第２クリップ部３１３と、ケーブル４とを収容する。前記開口３２１と受け溝３２２はお互いに通じ、倒置された“U”型構造の接続片３１の頂辺がちょうど開口３２１と収容溝３２２の連通した箇所にロックされる。
【００１３】
本考案において、絶縁ブロック３２を設置する目的は接続片３１を固定するためである。そのため、本実施例の開口３２１と受け溝３２２などを有する絶縁ブロック３２は本考案の好ましい構造であるが、それ以外の構造と一体形成などの方法を使って接続片３１の固定しても構わない。
【００１４】
図７及び図８を参照すると、取り付ける時、まず後方から前方へコンタクトモールド２をハウジング１に取り付ける。前記コンタクトモールド２のハウジング基部２２とハウジング１の底壁１２の第１開口１２１がお互いに係合する。コンタクト２１の接続部２１２はハウジング１の受け部１５へ延伸し、相手側コネクタと連接する。
【００１５】
次に、ケーブル４に取り付けた後のインサートモールド３の接続片３１を絶縁ブロック３２に装着する。前記接続片３１の第２クリップ部３１３の第２クリップアーム３１３１がハウジングの外層（記号なし）にロックされ、接続片３１とケーブル４との固定が実現する。お互いに保持された接続片３１の第１クリップ部３１２、第２クリップ部３１３がケーブル４とともに絶縁ブロック３２の受け溝３２２に設置され、前記接続片３１の抵触部３１１は湾曲しながら絶縁ブロック３２の開口３２１内に収容される。
【００１６】
最後に、取り付け終わったインサートモールド３をハウジング１に装着した後、前記インサートモールド３の絶縁ブロック３２はハウジング１の後壁１４の第２開口１４１と係合する。且つ、絶縁ブロック３２の両側にあるロックアーム３２３がハウジング１の後壁１４のロック溝１４２内に収容され、取り付けを完成する。その時、前記接続片３１の抵触部３１１とコンタクト２１の導入部２１３は弾性的に抵触しながら電気的な接続を達成する。本実施例において、インサートモールダ３とハウジング１間の装着係合は、従来の干渉係合の方法を採用している。
【００１７】
以上説明したように、本考案のケーブルコネクタ１００において、ほぼ“Ｕ”型の接続片３１を設置することにより、ケーブル４を一端のクリップ部３１２、３１３に固定し、他の一端の抵触部３１１は対応するコンタクト２１に当接する。そこで、ケーブル４とケーブルコネクタ１００との電気接続が実現され、装着方面の面倒とか、ケーブルのワイヤー間の短絡することも防止できる。
【００１８】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００１９】
【図１】本考案のケーブルコネクタの立体の組立斜視図である。
【図２】図１の他方角度からの立体の組立斜視図である。
【図３】本考案のケーブルコネクタの分解斜視図である。
【図４】図３の他方角度からの分解斜視図である。
【図５】本考案のケーブルコネクタの部分組立斜視図である。
【図６】図５の他方角度からの部分組立斜視図である。
【図７】本考案のケーブルコネクタの接続片とケーブル及びコンタクト間の係合を示す斜視図である。
【図８】図７の他方角度からの接続片とケーブル及びコンタクト間の係合を示す斜視図である。
【符号の説明】
【００２０】
１  ハウジング
２  コンタクトモールド
３  インサートモールド
４  ケーブル
１１  頂壁
１２  底壁
１３  側壁
１４  後壁
１５  受け部
２１  コンタクト
２２  ハウジング基部
３１  接続片
３２  絶縁ブロック
１００  ケーブルコネクタ
１２１  第１開口
１４１  第２開口
１４２  ロック溝
２１１  固定部
２１２  接続部
２１３  導入部
３１１  抵触部
３１２  第１クリップ部
３１３  第２クリップ部
３２１  開口
３２２  受け溝
３１２１  第１クリップアーム
３１３１  第２クリップアーム  
【図１】
0003106394.tif 000003
【図２】
0003106394.tif 000004
【図３】
0003106394.tif 000005
【図４】
0003106394.tif 000006
【図５】
0003106394.tif 000007
【図６】
0003106394.tif 000008
【図７】
0003106394.tif 000009
【図８】
0003106394.tif 000010